(57)【特許請求の範囲】
【請求項１】
水道水が流れる下ケース、羽根車を収納した下インナーケース、計測及び指示機構を収納した上インナーケースからなる複箱型水道メータにおいて、
流水量計測用の羽根車を収納している下インナーケースは、流入ノズル及び排出口が形成されている中央部材を上下からはさんで、流出口の蓋の機能と、上部ケースへの位置決め機能とを有する上方部材と、底部の機能と下抵抗の調整機能とを有する下方部材とを結合することによって構成されていることを特徴とする複箱型水道メータ。
【発明の詳細な説明】
【０００１】
【発明の属する技術分野】
この発明は下インナーケース内に設けた羽根車に複数のノズルから接線方向に噴射水流を当て、羽根車を回転させ、その回転を指示部に伝達し、通過水量を積算指示する複箱型の水道メータの改良に関する。
【０００２】
【従来の技術】
この発明の理解を容易にするために、図１に複箱型水道メータの基本的な構成を示す。図において、１は水道水が流れる下ケース、２はストレーナ、３は上インナーケース、４は下インナーケース、５は下インナーケース内に設けられている羽根車、６は回転軸、７は回転を伝達する歯車機構部、８は数字車などの指示部、９は表面のガラスをそれぞれ示している。
【０００３】
水道水は矢印Ｆで示されるように流入し、矢印Ｇで示すように進行し、下インナーケース４のケース体４１の下方に設けられた流入ノズル４２から下インナーケース内に入り、羽根車５を回転させ、上方の排出口４３からケース外に出て矢印Ｈで示されるように流れる。
【０００４】
図２は従来の下インナーケース４の側断面図、図３は図２のＡ−Ａ断面図、図４は図２のＢ−Ｂ断面図であって、従来の下インナーケース４は一体のケース体４１からなり、ケース体４１の下方に複数の流入ノズル４２が設けられ、また上方に複数の排出口４３が設けられている。
【０００５】
【発明が解決しようとする課題】
前述の如く従来の下インナーケースは、全体として一体に構成されているので、構造が複雑となり、製作が難しく、ノズルの精密仕上げが困難であり、ノズルの精度にバラツキが存在することを防止できないという欠点を免れなかった。
【０００６】
【課題を解決するための手段】
この発明は前記の欠点を解消するために、羽根車を収納している下インナーケースは、流入ノズル及び排出口が形成されている中央部材を上下からはさんで、流入口の蓋の機能と、上部ケースへの位置決め機能とを有する上部部材と、底部の機能と下抵抗の調整機能とを有する下方部材とを結合することによって構成されていることを特徴とする複箱型水道メータを得たものである。
【０００７】
【発明の実施の形態】
図５はこの発明の下インナーケース２０の、中央部材４０及び中央部材４０を上下からはさんで結合する上方部材３０ならびに下方部材５０を示した斜視図である。中央部材４０には流入ノズル４２と排出口４３とが形成されている。この中央部材４０をはさんで上下から、上方部材３０と、ケースの底部を形成する下方部材５０を圧入して下インナーケース２０が構成される。
【０００８】
上方部材３０の枠体３１の下面の突片３２は中央部材４０の上面に圧入され、排出口４３の蓋となり、また下方部材５０の枠体５１の上面の突片５２を中央部材４０のノズル形成体４４に設けられた凹部４５に圧入することによって下方部材５０は下インナーケース２０の底部を形成する。
【０００９】
【実施例】
図６は上方部材３０を図５とは向きを変えて示した斜視図、図７は図６をＤ方向からみた上面図、図８は図７のＡ−Ａ断面図、図９は図７のＢ−Ｂ断面図であって、３１は上方部材３０の枠体、３２は後述する中央部材４０の上面の凹部に圧入される突片であって、図８の左側が上面、右側が中央部材４０と接する下面である。
【００１０】
図１０は中央部材４０を図６に示す上方部材３０と同じ向きで示した斜視図、図１１は図１０をＤ方向からみた上面図、図１２は図１０をＲ方向からみた下面図、図１３は図１１のＡ−Ａ断面図、図１４は図１１のＢ−Ｂ断面図、図１５は図１２のＣ−Ｃ断面図である。４２は流入ノズル、４３は排出口、４４は流入ノズルを形成する形成体、４５は形成体に設けられている凹部、４６はピン挿入部、４７は排出口４３側の周囲の壁部、４８は壁部４７に設けられた凹部である。
【００１１】
図１１に示す中央部材４０の上面が図８の右側にある上方部材３０の下面と接し、上方部材３０の突片３２は図１１に示す中央部材４０の上面の凹部４８に圧入され上方部材３０と中央部材４０は結合される。
【００１２】
図１６は下方部材５０の斜視図、図１７はその上面図、図１８は図１７のＢ−Ｂ断面図であって、５１は枠体、５２は突片、５３はピン、５４は枠体５１のリブをそれぞれ示している。
【００１３】
この下部部材５０の上面と図１２に示す中央部材４０の下面とが相対し、突片５２を中央部材４０の凹部４５に、ピン５３を中央部材４０の凹部４５に、ピン５３を中央部材４０のピン挿入部４６にそれぞれ圧入することによって中央部材４０に下方部材５０は結合される。
【００１４】
下方部材５０は下インナーケース２０の底部を形成するとともに、リブ５４は流入ノズル４２から下インナーケース４０内に入ってきた水が羽根車に均等に当たるように水を乱流にする下抵抗の機能をを行う。ピン５３は下抵抗の機能を調節できるように下方部材５０を中央部材４０に結合するときの位置決めを行う。
【００１５】
又図７と図９に示すように上方部材３０の上面に凹部４９があって、上方の上インナーケース３に下インナーケース２０を取り付ける際、上インナーケースに設けられた凸部と係合して両者の位置決めを行う。このようにすることにより、メータの組み込み時に確実に同一方向にセットすることができる。なお下方部材５０のリブ５４による下抵抗に対し、上インナーケース３の下面にリブを設けて上抵抗を形成する。
【００１６】
【発明の効果】
この発明の複箱型水道メータは前記の如き構成であって、下インナーケースが分割されて結合により構成されているので、個々の構成が簡単で製作が容易であり、流入ノズルを精度よく精密仕上げすることができ、計量の精度のバラツキをなくすことができた。また分割されている各部材の製作の際１個の金型で多数個を一度に形成でき極めて能率よく製作できるようになった。また分解可能なので、回収して分解し再利用もできるようになった。
【図面の簡単な説明】
【図１】複箱型水道メータの構成を示す図
【図２】従来の下インナーケースの断面図
【図３】図２のＡ−Ａ断面図
【図４】図２のＢ−Ｂ断面図
【図５】この発明の下インナーケースを分割して示した斜視図
【図６】上方部材の斜視図
【図７】図６をＤ方向からみた上面図
【図８】図７のＡ−Ａ断面図
【図９】図７のＢ−Ｂ断面図
【図１０】中央部材の斜視図
【図１１】図１０をＤ方向からみた上面図
【図１２】図１０をＲ方向からみた下面図
【図１３】図１１のＡ−Ａ断面図
【図１４】図１１のＢ−Ｂ断面図
【図１５】図１２のＣ−Ｃ断面図
【図１６】下方部材の斜視図
【図１７】下方部材の上面図
【図１８】図１７のＢ−Ｂ断面図
【符号の説明】
１    下ケース
２    ストレーナ
３    上インナーケース
４    下インナーケース
５    羽根車
６    回転軸
７    歯車機構部
８    指示部
９    ガラス
２０    この発明の分割型下インナーケース
３０    上部部材
３１    枠体
３２    突片
４０    中央部材
４１    ケース体
４２    流入ノズル
４３    排出口
４４    ノズル形成体
４５    凹部
４６    ピン挿入部
４７    壁部
４８    凹部
４９    孔
５０    下方部材
５１    枠体
５２    突片
５３    ピン
５４    リブ
【図１】
0003622909.tif 000002
【図２】
0003622909.tif 000003
【図３】
0003622909.tif 000004
【図４】
0003622909.tif 000005
【図５】
0003622909.tif 000006
【図６】
0003622909.tif 000007
【図７】
0003622909.tif 000008
【図８】
0003622909.tif 000009
【図９】
0003622909.tif 000010
【図１０】
0003622909.tif 000011
【図１１】
0003622909.tif 000012
【図１２】
0003622909.tif 000013
【図１３】
0003622909.tif 000014
【図１４】
0003622909.tif 000015
【図１５】
0003622909.tif 000016
【図１６】
0003622909.tif 000017
【図１７】
0003622909.tif 000018
【図１８】
0003622909.tif 000019